【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
９９．９ｗｔ％から６０ｗｔ％のプロピレンポリマー及び０．１ｗｔ％から４０ｗｔ％の非機能性可塑剤を含む、可塑性ポリオレフィン組成物であって、前記非機能性可塑剤が−３０℃未満の流動点を有するＣ６からＣ２００のパラフィンを含むことを特徴とし、エラストマーが前記組成物より欠失していることを特徴とする、可塑性ポリオレフィン組成物。
【請求項２】
請求項１に記載の組成物であって、前記非機能性可塑剤が、Ｃ８からＣ１００のパラフィンを含むことを特徴とする組成物。
【請求項３】
請求項１に記載の組成物であって、前記非機能性可塑剤が、Ｃ６からＣ５０のイソパラフィンを含むことを特徴とする組成物。
【請求項４】
請求項1に記載の組成物であって、前記非機能性可塑剤が、Ｃ１０からＣ１００のｎ−パラフィンを含むことを特徴とする組成物。
【請求項５】
請求項１乃至４のいずれか１請求項に記載の組成物であって、前記組成物中に添加される前記非機能性可塑剤が４ｗｔ％増加する毎にポリオレフィンのＴｇが少なくとも２℃低下するが、Ｔｍは一定に留まったままであることを特徴とする組成物。
【請求項６】
請求項５に記載の組成物であって、前記組成物中に添加されるに前記非機能性可塑剤が４ｗｔ％増加する毎にポリオレフィンのＴｇが４℃から１０℃低下するが、Ｔｍは一定に留まったままであることを特徴とする組成物。
【請求項７】
請求項１乃至６のいずれか１請求項に記載の組成物であって、前記非機能性可塑剤が、−４０℃未満の流動点を有することを特徴とする組成物。
【請求項８】
請求項１乃至７のいずれか１請求項に記載の組成物であって、前記非機能性可塑剤が１００℃において０．１乃至３０００ｃＳｔの粘度を有することを特徴とする組成物。
【請求項９】
請求項１乃至８のいずれか１請求項に記載の組成物であって、前記非機能性可塑剤が、１００℃において１乃至３０００ｃＳｔの粘度を有することを特徴とする組成物。
【請求項１０】
請求項１乃至９のいずれか１請求項に記載の組成物であって、前記非機能性可塑剤が、１００℃において１乃至２５０ｃＳｔの粘度を有することを特徴とする組成物。
【請求項１１】
請求項１乃至１０のいずれか１請求項に記載の組成物であって、前記非機能性可塑剤が２０℃において２．１未満の誘電率を有することを特徴とする組成物。
【請求項１２】
請求項１乃至１１のいずれか１請求項に記載の組成物であって、前記非機能性可塑剤が０．９１未満の比重を有することを特徴とする組成物。
【請求項１３】
請求項１乃至１２のいずれか１請求項に記載の組成物であって、前記非機能性可塑剤が芳香族部分を実質的に含まないことを特徴とする組成物。
【請求項１４】
請求項１乃至１３のいずれか１請求項に記載の組成物であって、フタル酸類、アジピン酸、トリメリット酸エステル及びポリエステルを実質的に含まないことを特徴とする組成物。
【請求項１５】
請求項１乃至１４のいずれか１請求項に記載の組成物であって、前記非機能性可塑剤の重量平均分子量が１００から２５，０００ｇ／ｍｏｌであることを特徴とする組成物。
【請求項１６】
請求項１５に記載の組成物であって、前記非機能性可塑剤の重量平均分子量が、２００から２５，０００ｇ／ｍｏｌであることを特徴とする組成物。
【請求項１７】
請求項１６に記載の組成物であって、前記非機能性可塑剤の重量平均分子量が、２００から１０，０００ｇ／ｍｏｌであることを特徴とする組成物。
【請求項１８】
請求項１乃至１７のいずれか１請求項に記載の組成物であって、ポリオレフィンが、アイソタクチックであるセグメントを含むことを特徴とする組成物。
【請求項１９】
請求項１に記載の組成物であって、ポリオレフィンがシンジオタクチックポリポリプロピレンを含むことを特徴とする組成物。
【請求項２０】
請求項１乃至１９のいずれか１請求項に記載の組成物であって、更にスリップ剤を含むことを特徴とする組成物。
【請求項２１】
請求項１乃至２０のいずれか１請求項に記載の組成物であって、前記組成物が１０Ｍｐａから１５０Ｍｐａの１％割線曲げ弾性率を有するプラストマーを更に含むことを特徴とする組成物。
【請求項２２】
請求項１乃至２１のいずれか１請求項に記載の組成物であって、エチレンのコポリマーであり、２乃至３５重量％のＣ３からＣ１０のアルファオレフィン由来ユニットであるプラストマーを更に含むことを特徴とする組成物。
【請求項２３】
請求項１乃至２２のいずれか１請求項に記載の組成物であって、３０から８０℃（第一融解ピーク）及び５０から１２５℃（第二融解ピーク）を有するプラストマーを含むことを特徴とする組成物。
【請求項２４】
請求項１乃至２３のいずれか１請求項に記載の組成物であって、０．８６から０．９００ｇ／ｃｍ３の密度及び１．５から５のＭｗ／Ｍｎを有する、メタロセン触媒の作用により得られたエチレンと、プロピレン、１−ブテン、１−ヘキセン、又は１−オクテンとのコポリマーを含むことを特徴とする組成物。
【請求項２５】
請求項１乃至２４のいずれか１請求項に記載の組成物であって、前記組成物が更に、０．８６から０．９００ｇ／ｃｍ３の密度及び１．５から５のＭｗ／Ｍｎを有する、メタロセン触媒の作用により得られたエチレンと１−ブテン、１−ヘキセン又は１−オクテンとのコポリマーを含むことを特徴とする組成物。
【請求項２６】
請求項１乃至２５のいずれか１請求項に記載の組成物であって、前記組成物が更に０．８６から０．９００ｇ／ｃｍ３の密度及び１．５から５のＭｗ／Ｍｎを有する、メタロセン触媒の作用により得られたエチレンと１−オクテンとのコポリマーを含むことを特徴とする組成物。
【請求項２７】
更に核化剤を含む特徴とする請求項１乃至２６のいずれか１請求項に記載の組成物。
【請求項２８】
請求項１乃至２７のいずれか１請求項に記載の組成物であって、安息香酸ナトリウム、ナトリウム２，’２−メチレンビス（４,６−ジ−ｔｅｒｔ−ブチルフェニル）フォスフェート、アルミニウム２，２’−メチレンビス（４,６−ジ−ｔｅｒｔ−ブチルフェニル）フォスフェート、ジベンジリデンソルビトール、ジ（ｐ−トリリデン）ソルビトール、ジ（ｐ−エチルベンジリデン）ソルビトール、ビス（３,４−ジエンチルベンジリデン）ソルビトール、Ｎ’，Ｎ’−ジクロロヘキシル−２，６−ナフタレンジカルボキシアミド及びロジンエステルの不均化塩から成る群より選択される核化剤を更に含むことを特徴とする組成物。
【請求項２９】
請求項１乃至２８のいずれか１請求項に記載の組成物であって、５００から１０，０００の重量平均分子量を有するポリエチレンが実質的に欠失していることを特徴とする組成物。
【請求項３０】
非機能性可塑剤とポリオレフィンを混合する工程を含むポリオレフィンを可塑化する方法であって、前記ポリオレフィン及び前記非機能性可塑剤が、請求項１乃至２９のいずれか１請求項で定義されていることを特徴とする方法。
【請求項３１】
請求項３０の方法であって、前記混合する工程が溶融混合を含むことを特徴とする方法。
【請求項３２】
請求項３１の方法であって、前記溶融混合が、押出形成機において行われることを特徴とする方法。
【請求項３３】
請求項３０の方法であって、前記混合する工程が、固形ポリオレフィンの湿式混合を含むことを特徴とする方法。
【請求項３４】
請求項３０乃至３３のいずれか１請求項に記載の方法であって、前記ポリオレフィンが反応顆粒又は押出形成されたペレットの形態であることを特徴とする方法。
【請求項３５】
請求項３４の方法であって、前記反応顆粒が、１０μｍ乃至５ｍｍの平均直径を有することを特徴とする方法。
【請求項３６】
請求項１乃至２９のいずれか１請求項に記載の組成物を含むか、あるいは、請求項３０乃至３５のいずれか１請求項に記載の方法により作られた組成物を含む、フィルム、シート、繊維、織布、不織布、チューブ、パイプ、自動車部品、家具、スポーツ用品、食品貯蔵用コンテナ、透明及び半透明製品、玩具、チューブ類及びパイプ構造類並びに医療用具から選択される工業製品。
【請求項３７】
９９．９ｗｔ％から６０ｗｔ％のポリオレフィン及び０．１ｗｔ％から４０ｗｔ％の非機能性可塑剤を含む可塑性ポリオレフィン組成物であって、前記非機能性可塑剤が,−３０℃未満の融点を有するＣ６からＣ２００のパラフィンを含むことを特徴とし、前記ポリオレフィンが、プロピレンホモポリマーを含み、及び、エラストマーが添加されていないことを特徴とする組成物。
【請求項３８】
請求項３７に記載の組成物であって、前記プロピレンホモポリマーがアイソタクチックポリプロピレンであることを特徴とする組成物。
【請求項３９】
９９．９ｗｔ％から６０ｗｔ％のポリオレフィン、０．１ｗｔ％から４０ｗｔ％の非機能性可塑剤を含む可塑性ポリオレフィン組成物であって、前記非機能性可塑剤が、−１０℃未満の流動点を有するＣ６からＣ２００のパラフィンを含み、１００℃において、１０から３０００ｃＳｔの動粘度を有し、比重が０．７００から０．８６０であることを特徴とする組成物。
【請求項４０】
請求項３９に記載の組成物であって、前記非機能性可塑剤が、Ｃ８からＣ１００のパラフィンを含むことを特徴とする組成物。
【請求項４１】
請求項３９に記載の組成物であって、前記非機能性可塑剤が、Ｃ６からＣ５０のイソパラフィンを含むことを特徴とする組成物。
【請求項４２】
請求項３９に記載の組成物であって、前記非機能性可塑剤が、Ｃ１０からＣ１００のｎ-パラフィンを含むことを特徴とする組成物。
【請求項４３】
請求項３９乃至４２のいずれか１請求項に記載の組成物であって、前記組成物中に添加される前記非機能性可塑剤が４ｗｔ％増加する毎にポリオレフィンのＴｇが少なくとも２℃低下するが、Ｔｍは一定に留まったままであることを特徴とする組成物。
【請求項４４】
請求項３９に記載の組成物であって、前記組成物中に添加される非機能性可塑剤が４ｗｔ％増加する毎にポリオレフィンのＴｇが４℃から１０℃低下するが、Ｔｍは一定に留まったままであることを特徴とする組成物。
【請求項４５】
請求項３９乃至４４のいずれか１請求項に記載の組成物であって、前記非機能性可塑剤が−３０℃未満の流動点を有することを特徴とする組成物。
【請求項４６】
請求項３９乃至４５のいずれか１請求項に記載の組成物であって、前記非機能性可塑剤が、１００℃において１０から１０００ｃＳｔの粘度を有することを特徴とする組成物。
【請求項４７】
請求項３９乃至４６のいずれか１請求項に記載の組成物であって、前記非機能性可塑剤が１００℃において１０から５００ｃＳｔの粘度を有することを特徴とする組成物。
【請求項４８】
請求項３９乃至４７のいずれか１請求項に記載の組成物であって、前記非機能性可塑剤が１００℃において１０から２５０ｃＳｔの粘度を有することを特徴とする組成物。
【請求項４９】
請求項３９乃至４８のいずれか１請求項に記載の組成物であって、前記非機能性可塑剤が２０℃において２．１未満の誘電率を有することを特徴とする組成物。
【請求項５０】
請求項３９乃至４９のいずれか１請求項に記載の組成物であって、前記非機能性可塑剤が０．７５０から０．８５５の比重を有することを特徴とする組成物。
【請求項５１】
請求項３９乃至５０のいずれか１請求項に記載の組成物であって、前記非機能性可塑剤が芳香族部分を実質的に含まないことを特徴とする組成物。
【請求項５２】
請求項３９乃至５１のいずれか１請求項に記載の組成物であって、フタル酸類、アジピン酸、トリメリットエステル及びポリエステル等の可塑剤を実質的に含まないことを特徴とする組成物。
【請求項５３】
請求項３９乃至５２のいずれか１請求項に記載の組成物であって、前記非機能性可塑剤の重量平均分子量が１００から２５，０００ｇ／ｍｏｌであることを特徴とする組成物。
【請求項５４】
請求項５３に記載の組成物であって、前記非機能性可塑剤の重量平均分子量が２００から２５，０００ｇ／ｍｏｌであることを特徴とする組成物。
【請求項５５】
請求項５４に記載の組成物であって、前記非機能性可塑剤の重量平均分子量が２００から１０，０００ｇ／ｍｏｌであることを特徴とする組成物。
【請求項５６】
請求項３９乃至５５のいずれか１請求項に記載の組成物であって、前記ポリオレフィンがプロピレン由来ユニットと、エチレン由来ユニット及びＣ４からＣ２０のαオレフィン由来ユニットから選択されるユニットとを含むことを特徴とする組成物。
【請求項５７】
請求項３９乃至５６のいずれか１請求項に記載の組成物であって、プラストマーを更に含むことを特徴とする組成物。
【請求項５８】
請求項３９乃至５７のいずれか１請求項に記載の組成物であって、５００から１０，０００の重量平均分子量を有するポリエチレンを実質的に含まないことを特徴とする組成物。
【請求項５９】
請求項３９乃至５８のいずれか１請求項に記載の組成物であって、１０Ｍｐａから１５０Ｍｐａの１％割線曲げ弾性率を有するプラストマーを含むことを特徴とする組成物。
【請求項６０】
請求項３９乃至５９に記載の組成物であって、前記組成物がエチレンのコポリマーであり、２乃至３５重量％のＣ３からＣ１０αオレフィン由来ユニットであるプラストマーを更に含むことを特徴とする組成物。
【請求項６１】
０．８５から０．９１５ｇ／ｃｃの密度及び０．１０から３０ｄｇ／ｍｉｎのメルトインデックスを有するエチレンプラストマーを更に含む請求項３９乃至６０のいずれか１請求項に記載の組成物であって、前記エチレンプラストマーがエチレンのコポリマーであり、２乃至３５ｗｔ％のＣ３からＣ１０のαオレフィン由来ユニットであることを特徴とする組成物。
【請求項６２】
請求項３９乃至６１のいずれか１請求項に記載の組成物であって、前記組成物が３０から８０℃（第一融点ピーク）及び５０から１２５℃（第二融点ピーク）の融点を有するプラストマーを更に含むことを特徴とする組成物。
【請求項６３】
請求項３９乃至６２のいずれか１請求項に記載の組成物であって、前記組成物が、更に０．８６から０．９００ｇ／ｃｍ３の密度及び１．５から５のＭｗ／Ｍｎを有する、メタロセン触媒の作用により得られたエチレンとプロピレン、１−ブテン、１−ヘキセン、又は、１−オクテンとのコポリマーを含むことを特徴とする組成物。
【請求項６４】
請求項３９乃至６３のいずれか１請求項に記載の組成物であって、更に核化剤を含むことを特徴とする組成物。
【請求項６５】
請求項６４に記載の組成物であって、前記核化剤が、安息香酸ナトリウム、ナトリウム２，２’−メチレンビス（４，６−ジ−ｔｅｒｔ−ブチルフェニル）フォスフェート、アルミニウム２，２’−メチレンビス（４，６−ジ−ｔｅｒｔ−ブチルフェニル）フォスフェート、ベンジリデンソルビトール、ジ（ｐ−トリリデン）ソルビトール、ジ（ｐ−エチルベンジリデン）ソルビトール、ビス（３，４−ジメチルベンジリデン）ソルビトール、Ｎ’，Ｎ’−ジクロロヘキシル−２，６−ナフタレンジカルボキシ酸及びロジンエステルの不均化塩から成る群より選択されることを特徴とする組成物。
【請求項６６】
請求項３９乃至６２のいずれか１請求項に記載の組成物であって、更にスリップ剤を含むことを特徴とする組成物。
【請求項６７】
非機能性可塑剤とポリオレフィンを混合する工程を含むポリオレフィンを可塑化する方法であって、前記ポリオレフィン及び前記非機能性可塑剤が、請求項３９乃至６６のいずれか１請求項で定義されることを特徴とする方法。
【請求項６８】
請求項６７の方法であって、前記混合する工程が溶融混合であることを特徴とする組成物。
【請求項６９】
請求項６８の方法であって、前記溶融混合が、押出形成機の中で行われることを特徴とする方法。
【請求項７０】
請求項６７の方法であって、前記混合する工程が、固形ポリオレフィンの湿式混合を含むことを特徴とする方法。
【請求項７１】
請求項６８から７０の組成物であって、前記ポリオレフィンが反応顆粒又は押出形成されたペレットの形態であることを特徴とする方法。
【請求項７２】
請求項７１の方法であって、前記反応顆粒が１０μｍから５ｍｍの平均直径を有することを特徴とする方法。
【請求項７３】
請求項３９乃至６６のいずれか１請求項に記載の組成物を含むか、あるいは、請求項６７乃至７１のいずれか１請求項に記載の方法により作られた組成物を含むフィルム、シート、繊維、織布、不織布、チューブ、パイプ、自動車部品、家具、スポーツ用品、食品貯蔵用コンテナ、透明及び半透明製品、玩具、チューブ類及びパイプ類、並びに医療用具から選択される工業製品。
【請求項７４】
９９．９ｗｔ％から６０ｗｔ％のプロピレンインパクトコポリマー（前記インパクトコポリマーがｉｎ ｓｉｔｕブレンドである）及び０．１から４０ｗｔ％の非機能性可塑剤を含む可塑性ポリオレフィン組成物であって、前記非機能性可塑剤が−１０℃未満の流動点と、１００℃において１０から３０００ｃＳｔの動粘度と、０．７００から０．８６０の比重とを有するＣ６からＣ２００のパラフィンを含むことを特徴とする組成物。
【請求項７５】
請求項７４に記載の組成物であって、前記非機能性可塑剤がＣ８からＣ１００のパラフィンを含むことを特徴とする組成物。
【請求項７６】
請求項７４に記載の組成物であって、前記非機能性可塑剤が、Ｃ６からＣ５０のイソパラフィンを含むことを特徴とする組成物。
【請求項７７】
請求項７４乃至７６のいずれか１請求項に記載の組成物であって、前記非機能性可塑剤がＣ１０からＣ１００のｎ−パラフィンを含むことを特徴とする組成物。
【請求項７８】
請求項７４乃至７８のいずれか１請求項に記載の組成物であって、前記組成物中に添加される前記非機能性可塑剤が４ｗｔ％増加する毎にポリオレフィンのＴｇが少なくとも２℃低下するが、Ｔｍは一定に留まったままであることを特徴とする組成物。
【請求項７９】
請求項７４に記載の組成物であって、前記組成物中に添加される前記非機能性可塑剤が４ｗｔ％増加するごとにポリオレフィンのＴｇが４℃から１０℃低下するが、Ｔｍは一定に留まったままであることを特徴とする組成物。
【請求項８０】
請求項７４乃至７９のいずれか１請求項に記載の組成物であって、前記非機能性可塑剤が−３０℃未満の流動点を有することを特徴とする組成物。
【請求項８１】
請求項７４乃至８０のいずれか１請求項に記載の組成物であって、前記非機能性可塑剤が１００℃において１０から１０００ｃＳｔの粘度を有することを特徴とする組成物。
【請求項８２】
請求項７４乃至８１のいずれか１請求項に記載の組成物であって、前記非機能性可塑剤が１００℃において１０から５００ｃＳｔの粘度を有することを特徴とする組成物。
【請求項８３】
請求項７４乃至８２のいずれか１請求項に記載の組成物であって、前記プロピレンインパクトコポリマーが１００から２３００Ｍｐａの曲げ弾性率を有することを特徴とする組成物。
【請求項８４】
請求項７４乃至８３のいずれか１請求項に記載の組成物であって、前記非機能性可塑剤が２０℃において２．１未満の誘電率を有することを特徴とする組成物。
【請求項８５】
請求項７４乃至８４のいずれか１請求項に記載の組成物であって、前記非機能性可塑剤が、０．７５０から０．８５５の比重を有することを特徴とする組成物。
【請求項８６】
請求項７４乃至８５のいずれか１請求項に記載の組成物であって、前記非機能性可塑剤が芳香族部分を実質的に含まないことを特徴とする組成物。
【請求項８７】
請求項７４乃至８６のいずれか１請求項に記載の組成物であって、フタル酸類、アジピン酸、トリメリット酸エステル及びポリエステルを実質的に含まないことを特徴とする組成物。
【請求項８８】
請求項７４乃至８７のいずれか１請求項に記載の組成物であって、前記非機能性可塑剤の重量平均分子量が、１００から２５，０００ｇ／ｍｏｌであることを特徴とする組成物。
【請求項８９】
請求項８８に記載の組成物であって、前記非機能性可塑剤の平均分子重量が２００から２５，０００ｇ／ｍｏｌであることを特徴とする組成物。
【請求項９０】
請求項８９に記載の組成物であって、前記非機能性可塑剤の重量平均分子量が、２００から１０，０００ｇ／ｍｏｌであることを特徴とする組成物。
【請求項９１】
請求項７４乃至９０のいずれか１請求項に記載の組成物であって、前記組成物が更に１０Ｍｐａから１５０Ｍｐａの１％割線曲げ弾性率を有するプラストマーを更に含むことを特徴とする組成物。
【請求項９２】
請求項７４乃至９０のいずれか１請求項に記載の組成物であって、前記組成物が更にプロピレンホモポリマー、プロピレンコポリマー、又はこれらの混合物を含むことを特徴とする組成物。
【請求項９３】
請求項７４乃至９２のいずれか１請求項に記載の組成物であって、前記組成物が１０Ｍｐａから１５０Ｍｐａの１％割線曲げ弾性率を有するプラストマーを更に含むことを特徴とする組成物。
【請求項９４】
請求項７４乃至９３のいずれか１請求項に記載の組成物であって、前記組成物がエチレンのコポリマーであり、２乃至３５重量％のＣ３からＣ１０のαオレフィン由来ユニットであるプラストマーを含むことを特徴とする組成物。
【請求項９５】
請求項７４乃至９４のいずれか１請求項に記載の組成物であって、前記組成物が３０から８０℃（第一融点ピーク）及び５０から１２５℃（第二融点ピーク）の融点を有するプラストマーを更に含むことを特徴とする組成物。
【請求項９６】
請求項７４乃至９５のいずれか１請求項に記載の組成物であって、前記組成物が、０．８６から０．９００ｇ／ｃｍ３及び１．５から５のＭｗ／Ｍｎを有する、メタロセン触媒の作用により得られたエチレンとプロピレン、１−ブテン、１−ヘキセン、又は１−オクテンとのコポリマーを更に含むことを特徴とする組成物。
【請求項９７】
請求項７４乃至９６のいずれか１請求項に記載の組成物であって、前記組成物が、０．８６から０．９００ｇ／ｃｍ３及び１．５から５のＭｗ／Ｍｎを有する、メタロセン触媒の作用により得られたエチレンと１−オクテンのコポリマーを含むことを特徴とする組成物。
【請求項９８】
請求項７４乃至９７のいずれか１請求項に記載の組成物であって、更に核化剤を含むことを特徴とする組成物。
【請求項９９】
請求項９８に記載の組成物であって、前記核化剤が安息香酸ナトリウム、ナトリウム２，２’−メチレンビス（４，６−ジ−ｔｅｒｔ−ブチルフェニル）フォスフェート、アルミニウム２，２’−メチレンビス（４，６−ジ−ｔｅｒｔ−ブチルフェニル）フォスフェート、ジベンジリデンソルビトール、ジ（ｐ−トリリデン）ソルビトール、ジ（ｐ−エチルベンジリデン）ソルビトール、ビス（３，４−ジエンチルベンジリデン）ソルビトール、Ｎ’，Ｎ’−ジクロロヘキシル−２，６−ナフタレンジカルボキシ酸及びロジンエステルの不均化塩から成る群より選択されることを特徴とする組成物。
【請求項１００】
スリップ剤を更に含む請求項７４乃至９９のいずれか１請求項に記載の組成物。
【請求項１０１】
請求項７４乃至１００のいずれか１請求項に記載の組成物であって、
プロピレンインパクトコポリマーが、コポリマーの総重量に基づいて、４０％から９５％の成分Ａ及び５％から６０％の成分Ｂを含むことを特徴とし、
成分Ａがプロピレンホモポリマー又はコポリマーを含み、前記コポリマーが重量に対して１０％以下のエチレン、ブテン、ヘキセン、又はオクテンコモノマーを含み、
成分Ｂはプロピレンコポリマーを含み、前記コポリマーが、重量に対して５％から７０％のエチレン、ブテン、ヘキセン及び/又はオクテンコモノマー及び重量に対して９５％から３０％のプロピレンを含む事を特徴とする組成物。
【請求項１０２】
ポリプロピレンと非機能性可塑剤とを混合する工程を含むポリオレフィンを可塑化する方法であって、前記ポリオレフィン及び前記非機能性可塑剤が請求項６９乃至９５のいずれか１請求項に記載されていることを特徴とする方法。
【請求項１０３】
請求項１０２に記載の方法であって、前記混合する工程が溶融混合を含むことを特徴とする方法。
【請求項１０４】
請求項１０３に記載の方法であって、前記溶融混合が押出形成機で行われることを特徴とする方法。
【請求項１０５】
請求項１０３に記載の方法であって、前記混合する工程が、固形ポリオレフィンの湿式混合であることを特徴とする方法。
【請求項１０６】
請求項１０３乃至１０５のいずれか１請求項に記載の方法であって前記ポリオレフィンが反応顆粒又は押出形成されたペレットの形態であることを特徴とする方法。
【請求項１０７】
請求項１０６に記載の方法であって、前記反応顆粒が１０μｍから５ｍｍの平均直径を有することを特徴とする方法。
【請求項１０８】
請求項７４乃至１０１のいずれか１請求項に記載の組成物を含むか、あるいは、請求項１０２乃至１０７のいずれか１請求項に記載の方法により作られた組成物を含む、フィルム、シート、繊維、織布、不織布、チューブ、パイプ、自動車部品、家具、スポーツ用品、食品貯蔵用コンテナ、透明及び半透明製品、玩具、チューブ類又はパイプ類、並びに医療用具から選択される工業製品。
【手続補正２】
【補正対象書類名】明細書
【補正対象項目名】０００９
【補正方法】変更
【補正の内容】
【０００９】
本発明に係るある種の組成物は、ガラス転移温度（Tg）が低いことが特徴であり、一つの実施態様においては、組成物中のNFPが4wt%増える毎にTgは少なくとも2℃低下し、また別の実施態様においては、組成物中のNFPが4wt%増える毎にTgは少なくとも3℃低下する。更に別の実施態様においては、組成物中のNFPが4wt%増える毎にTgは少なくとも4℃から10℃低下する。その一方でポリオレフィンの融解温度及び結晶化温度は一定に留まったままである(1℃から2℃以内で一定である)。
【手続補正３】
【補正対象書類名】明細書
【補正対象項目名】００１０
【補正方法】変更
【補正の内容】
【００１０】
さらに、本発明に係る組成物NFPはプロピレンポリマーと相性がよく、混合が可能であること、及び混合したときに分離層を作らないことが特徴である。このことは、本組成物におけるDMTA(動的な機械-熱系解析)によって測定されるTｇのプロファイルからも明らかである。
【手続補正４】
【補正対象書類名】明細書
【補正対象項目名】００３２
【補正方法】変更
【補正の内容】
【００３２】
NFPは、１の実施態様においては0.920未満、他の実施態様においては、0.910、及び他の実施態様においては0.650から0.900、及び他の実施態様においては0.700から0.860、及び他の実施態様においては0.750から0.855及び他の実施態様においては、0.790から0.850、及びさらに他の実施態様においては、0.800から0.840の比重を有する。ここで、比重の好ましい範囲は、任意の上限比重及び任意の下限比重を含むものである。NFPは、１の実施態様においては、100℃から800℃、及び他の実施態様においては200から600℃、他の実施態様においては250から500℃の沸点を有する。さらに、NFPは、１の実施態様においては、20,000 g/mol未満、他の実施態様においては10,000g/mol未満、さらに他の実施態様においては5,000g/mol未満、さらに他の実施態様においては4,000g/mol未満、及び他の実施態様においては2,000g/mol未満、及び他の実施態様においては500g/mol未満、及び他の実施態様においては100g/mol以上の重量平均分子量（GPC又はGCによる測定）を有する。ここで、好ましい重量平均分子量の範囲は、ここでのべる任意の上限分子量と任意の下限分子量との任意の組み合わせを含むものである。